(57)【特許請求の範囲】
【請求項１】
エンジンにより駆動される発電機と、該エンジンとの間で動力伝達を接断するクラッチ手段を備えた自動変速機と、アクセル操作状態を検出するアクセル操作状態検出手段とを備え、該アクセル操作状態検出手段によってアクセル操作状態からアクセル非操作状態への移行が検出されたコースト走行時に、前記クラッチ手段を締結することで前記エンジンを前記自動変速機を介して車輪に従動させた状態に制御すると共に、前記車輪に従動されたエンジンにより前記発電機を駆動することで発電を行う自動変速機の制御装置であって、
前記コースト走行時に車速が低下するにつれて目標減速度が低下する目標減速度ラインに基づき目標減速度を算出する目標減速度算出手段と、
車両からの発電要求を満たすことができる前記発電機の発電負荷の下限値であって、車速が低下するにつれて前記発電機の発電負荷の下限値が大きくなる発電機限界値ラインに基づき前記発電機の発電負荷の下限値を設定する発電負荷下限値設定手段と、
コースト走行時に、前記目標減速度算出手段によって算出された前記目標減速度が前記発電負荷下限値設定手段によって設定された前記発電機の発電負荷の下限値により実現できる減速度より小さくなったか否かを判定する判定手段と、
前記クラッチ手段の作動を制御するクラッチ制御手段と、
を備え、
前記クラッチ制御手段は、前記判定手段によって前記目標減速度が前記発電負荷下限値設定手段によって設定された前記発電機の発電負荷の下限値により実現できる減速度より小さくなったと判定されたときに前記クラッチ手段の締結を解除するように前記クラッチ手段の作動を制御する、
ことを特徴とする自動変速機の制御装置。
【請求項２】
前記発電機の発電負荷を制御する発電負荷制御手段を備え、
前記発電機の発電負荷の下限値は、前記発電負荷制御手段によって制御される前記発電機の発電負荷の最低値よりも大きく設定される、
ことを特徴とする請求項１に記載の自動変速機の制御装置。
【請求項３】
前記発電負荷下限値設定手段は、車両からの発電要求が大きいほど前記発電機の発電負荷の下限値を大きく設定する、
ことを特徴とする請求項１又は請求項２に記載の自動変速機の制御装置。
【請求項４】
車両からの発電要求は、車両に備えられたバッテリ及び車両の電気負荷の状態に応じて設定され、
前記クラッチ制御手段は、前記発電要求が所定値以上である場合に、前記判定手段によって前記目標減速度が前記発電機の発電負荷の下限値により実現できる減速度より小さくなったと判定されたときに前記クラッチ手段の締結を解除するように前記クラッチ手段の作動を制御する
ことを特徴とする請求項１から請求項３の何れか１項に記載の自動変速機の制御装置。
【請求項５】
前記クラッチ手段は、スリップ制御可能に構成され、
前記クラッチ制御手段は、前記クラッチ手段をスリップ制御することにより前記クラッチ手段の締結を解除する、
ことを特徴とする請求項１から請求項４の何れか１項に記載の自動変速機の制御装置。
【請求項６】
前記発電負荷制御手段は、車速が低下するにつれて前記発電機の発電負荷を低下させて前記目標減速度を実現するように前記発電機の発電負荷を制御する、
ことを特徴とする請求項２から請求項５の何れか１項に記載の自動変速機の制御装置。
【請求項７】
前記自動変速機は無段変速機であって、
前記アクセル操作状態検出手段によってアクセル操作状態からアクセル非操作状態への移行が検出されたコースト走行時に、前記エンジンを前記無段変速機に従動させた状態において前記無段変速機の変速比をＬＯＷ側へ移行させるように前記無段変速機の作動を制御する、
ことを特徴とする請求項１から請求項６の何れか１項に記載の自動変速機の制御装置。
【発明の詳細な説明】
【技術分野】
【０００１】
本発明は、自動車等の車両に搭載される自動変速機の制御装置に関し、特にアクセル操作状態からアクセル非操作状態へ移行されたコースト走行時における自動変速機の制御装置に関する。
【背景技術】
【０００２】
従来より、自動車等の車両においては、エンジンにより駆動される発電機が備えられており、近年では、車両の減速時に発電機の作動を制御して回生発電を行い、発電した電力を車両に備えられたバッテリや車両の電気負荷に供給することで燃費を向上させるようにしたものが知られている。
【０００３】
このような発電機を備えた自動変速機を搭載した車両においては、アクセル操作状態からアクセル非操作状態へ移行されたコースト走行時に、クラッチ手段を締結させるとともに燃料カットを行い、この状態を可能な限り低車速側まで維持して、燃料消費量の低減を図ると共にその間に発電機によって回生発電を行うことで、燃費をさらに向上させるようにしたものが知られている。
【０００４】
クラッチ手段の締結を低車速側まで維持するものとして、例えば特許文献１には、エンジンブレーキによって減速感が強くなる違和感を低減することを企図して、コースト走行時に、エンジンに駆動される補機の負荷を低減させることにより低車速側までクラッチ手段を締結させ、エンジンブレーキによる違和感を低減するようにしたものが開示されている。
【先行技術文献】
【特許文献】
【０００５】
【特許文献１】特開２００２−２４８９３５号公報
【発明の概要】
【発明が解決しようとする課題】
【０００６】
しかしながら、前記特許文献１に記載されるように、補機の負荷を低減させることにより低車速側までクラッチ手段を締結させるようにすると、バッテリや車両からの発電要求が満たされないこととなり、バッテリの残容量が少ないときに充電されずに早期劣化を引き起こしたりする畏れがあるので、車両からの発電要求を満たすことが望まれる。
【０００７】
また、コースト走行時に、クラッチ手段を締結させるとともに燃料カットを行い、この状態を低車速側まで維持することにより燃費を向上させるようにした場合においても、停車直前にクラッチ手段の締結を解除し、燃料カット制御及び発電機の回生発電を終了したときには、減速度が急激に消滅することとなるので、停車直前に加速するような違和感を乗員に与える畏れがある。
【０００８】
発電機によって回生発電を行う際には、バッテリや車両からの発電要求を満たすために、該発電要求に応じて設定される発電機の最低発電量が高めに設定されることがあり、この場合、この最低発電量に対応する最低発電負荷も高くなるので、乗員への違和感がより大きくなり得る。
【０００９】
そこで、本発明は、コースト走行時に、車両からの発電要求を満たしながら、燃費を向上させつつクラッチ手段の締結を解除するときの減速度によって生じる乗員への違和感を抑制することができる自動変速機の制御装置を提供することを目的とする。
【課題を解決するための手段】
【００１０】
このため、本願の請求項１に係る発明は、エンジンにより駆動される発電機と、該エンジンとの間で動力伝達を接断するクラッチ手段を備えた自動変速機と、アクセル操作状態を検出するアクセル操作状態検出手段とを備え、該アクセル操作状態検出手段によってアクセル操作状態からアクセル非操作状態への移行が検出されたコースト走行時に、前記クラッチ手段を締結することで前記エンジンを前記自動変速機を介して車輪に従動させた状態に制御すると共に、前記車輪に従動されたエンジンにより前記発電機を駆動することで発電を行う自動変速機の制御装置であって、前記コースト走行時に車速が低下するにつれて目標減速度が低下する目標減速度ラインに基づき目標減速度を算出する目標減速度算出手段と、車両からの発電要求を満たすことができる前記発電機の発電負荷の下限値であって、車速が低下するにつれて前記発電機の発電負荷の下限値が大きくなる発電機限界値ラインに基づき前記発電機の発電負荷の下限値を設定する発電負荷下限値設定手段と、コースト走行時に、前記目標減速度算出手段によって算出された前記目標減速度が前記発電負荷下限値設定手段によって設定された前記発電機の発電負荷の下限値により実現できる減速度より小さくなったか否かを判定する判定手段と、前記クラッチ手段の作動を制御するクラッチ制御手段と、を備え、前記クラッチ制御手段は、前記判定手段によって前記目標減速度が前記発電負荷下限値設定手段によって設定された前記発電機の発電負荷の下限値により実現できる減速度より小さくなったと判定されたときに前記クラッチ手段の締結を解除するように前記クラッチ手段の作動を制御する、ことを特徴とする。
【００１１】
また、本願の請求項２に係る発明は、請求項１に係る発明において、前記発電機の発電負荷を制御する発電負荷制御手段を備え、前記発電機の発電負荷の下限値は、前記発電負荷制御手段によって制御される前記発電機の発電負荷の最低値よりも大きく設定される、ことを特徴とする。
【００１２】
更に、本願の請求項３に係る発明は、請求項１又は請求項２に係る発明において、前記発電負荷下限値設定手段は、車両からの発電要求が大きいほど前記発電機の発電負荷の下限値を大きく設定する、ことを特徴とする。
【００１３】
また更に、本願の請求項４に係る発明は、請求項１から請求項３の何れか１項に係る発明において、車両からの発電要求は、車両に備えられたバッテリ及び車両の電気負荷の状態に応じて設定され、前記クラッチ制御手段は、前記発電要求が所定値以上である場合に、前記判定手段によって前記目標減速度が前記発電機の発電負荷の下限値により実現できる減速度より小さくなったと判定されたときに前記クラッチ手段の締結を解除するように前記クラッチ手段の作動を制御する、ことを特徴とする。
【００１４】
また更に、本願の請求項５に係る発明は、請求項１から請求項４の何れか１項に係る発明において、前記クラッチ手段は、スリップ制御可能に構成され、前記クラッチ制御手段は、前記クラッチ手段をスリップ制御することにより前記クラッチ手段の締結を解除する、ことを特徴とする。
【００１５】
また更に、本願の請求項６に係る発明は、請求項２から請求項５の何れか１項に係る発明において、前記発電負荷制御手段は、車速が低下するにつれて前記発電機の発電負荷を低下させて前記目標減速度を実現するように前記発電機の発電負荷を制御する、ことを特徴とする。
【００１６】
また更に、本願の請求項７に係る発明は、請求項１から請求項６の何れか１項に係る発明において、前記自動変速機は無段変速機であって、前記アクセル操作状態検出手段によってアクセル操作状態からアクセル非操作状態への移行が検出されたコースト走行時に、前記エンジンを前記無段変速機に従動させた状態において前記無段変速機の変速比をＬＯＷ側へ移行させるように前記無段変速機の作動を制御する、ことを特徴とする。
【発明の効果】
【００１７】
本願の請求項１に係る自動変速機の制御装置によれば、コースト走行時に、エンジンを自動変速機を介して車輪に従動させた状態に制御すると共に、車輪に従動されたエンジンにより発電機を駆動することで発電を行い、車速に応じて算出された目標減速度が、車両からの発電要求に応じて設定された発電機の発電負荷の下限値により実現できる減速度より小さくなったと判定されたときに、クラッチ手段の締結を解除するようにクラッチ手段の作動を制御する。
【００１８】
これにより、コースト走行時に、クラッチ手段を締結させるとともに燃料カットを行う場合に、クラッチ手段の締結を解除するタイミングを車両からの発電要求に応じて設定された発電機の発電負荷の下限値に基づいて制御することができるので、車両からの発電要求を満たしながら、可能な限り低車速側までクラッチ手段の締結を維持することができ、燃費を向上させつつクラッチ手段の締結を解除するときの減速度によって生じる乗員への違和感を抑制することができる。車両の発電要求に応じて設定された発電機の発電負荷の下限値が低い場合には、該発電機の発電負荷の下限値が高い場合に比して低車速までクラッチ手段を締結させることができ、燃費を向上させることができるとともにクラッチ手段の締結を解除するときの減速度によって生じる乗員への違和感を抑制することができる。
【００１９】
また、本願の請求項２に係る発明によれば、発電機の発電負荷を制御する発電負荷制御手段を備え、発電機の発電負荷の下限値は、発電負荷制御手段によって制御される発電機の発電負荷の最低値よりも大きく設定されることにより、前記効果を具体的に実現することができる。
【００２０】
更に、本願の請求項３に係る発明によれば、発電負荷下限値設定手段は、車両からの発電要求が大きいほど発電機の発電負荷の下限値を大きく設定することにより、車両からの発電要求が変化する場合に、車両からの発電要求の変化に応じてクラッチ手段の締結解除を制御することができ、前記効果を有効に奏することができる。
【００２１】
また更に、本願の請求項４に係る発明によれば、クラッチ制御手段は、バッテリ及び電気負荷の状態に応じて設定される車両からの発電要求が所定値以上である場合に、目標減速度が発電機の発電負荷の下限値により実現できる減速度より小さくなったと判定されたときにクラッチ手段の締結を解除するようにクラッチ手段の作動を制御することにより、バッテリの過充電を防止することができ、前記効果をより有効に奏することができる。
【００２２】
また更に、本願の請求項５に係る発明によれば、クラッチ手段は、スリップ制御可能に構成され、クラッチ制御手段は、クラッチ手段をスリップ制御することによりクラッチ手段の締結を解除することにより、クラッチ手段の締結を解除する際に生じるショックを低減することができ、前記効果をより有効に奏することができる。
【００２３】
また更に、本願の請求項６に係る発明によれば、発電負荷制御手段は、車速が低下するにつれて発電機の発電負荷を低下させて目標減速度を実現するように発電機の発電負荷を制御することにより、目標減速度を発電機の発電負荷により実現することができ、コースト走行時に乗員に違和感を与えることを抑制することができる。
【００２４】
また更に、本願の請求項７に係る発明によれば、自動変速機は無段変速機であって、コースト走行時に、エンジンを無段変速機に従動させた状態において無段変速機の変速比をＬＯＷ側へ移行させるように無段変速機の作動を制御することにより、自動変速機がクラッチ手段を締結した状態においてＬＯＷ側への移行が可能である無段変速機である場合に、より低車速までクラッチ手段を締結することができ、前記効果をより有効に奏することができる。
【図面の簡単な説明】
【００２５】
【図１】本発明の実施形態に係る自動変速機の骨子図である。
【図２】前記自動変速機の制御システム図である。
【図３】前記自動変速機を備えた車両のコースト走行時における自動変速機の第１の制御を説明するための説明図である。
【図４】発電機への発電要求に応じて変化するロックアップクラッチの締結解除時の減速度を説明するための説明図である。
【図５】本発明の実施形態に係る自動変速機の第１の制御を示すフローチャートである。
【図６】勾配角と目標減速度との関係を示す図である。
【図７】ブレーキ圧と目標減速度との関係を示す図である。
【図８】前記自動変速機を備えた車両のコースト走行時における自動変速機の第２の制御を説明するための説明図である。
【図９】本発明の実施形態に係る自動変速機の第２の制御を示すフローチャートである。
【発明を実施するための形態】
【００２６】
以下、本発明の実施の形態について説明する。
【００２７】
図１は、本発明の実施形態に係る自動変速機の骨子図である。図１に示す自動変速機１は、無段変速機であって、エンジン２の出力軸３に連結されたトルクコンバータ１０と、トルクコンバータ１０の出力側に配置された前進後退切換機構２０と、前進後退切換機構２０の出力側に配置されたベルト式無段変速機構３０と、ベルト式無段変速機構３０の出力側に配置された終減速機４０及び差動装置５０とで構成されている。
【００２８】
トルクコンバータ１０は、エンジン出力軸３に連結されたケース１１と、ケース１１内に固設されてエンジン出力軸３と一体回転するポンプ１２と、ポンプ１２によりケース１１内の作動油を介して駆動されるタービン１３と、タービン１３とポンプ１２との間に介設されてトルク増大作用を行うステータ１４と、ケース１１とタービン１３とを結合してタービン１３をエンジン出力軸３に直結させるとともにスリップ制御可能に構成されるロックアップクラッチ１５と、を有し、タービン１３に連結されたタービンシャフト１６が前進後退切換機構２０の入力軸として前進後退切換機構２０側に延びている。
【００２９】
前進後退切換機構２０は、タービンシャフト１６と一体回転するキャリア２１に、外側のリングギヤ２２に噛合する第１ピニオンギヤ２３と、内側のサンギヤ２４に噛合する第２ピニオンギヤ２５とが設けられ、リングギヤ２２と内側のキャリア２１との間に両者を接断する油圧多板式の前進用クラッチ２６が配設され、リングギヤ２２と外側のミッションケース壁１９との間に両者を接断する油圧多板式の後退用ブレーキ２７が配設されている。なお、サンギヤ２４に無段変速機構３０側への出力軸２８が連結されている。
【００３０】
このように構成された前進後退切換機構２０では、後退用ブレーキ２７を解放し、且つ前進用クラッチ２６を締結した状態では、リングギヤ２２とキャリア２１とが一体化されるとともにリングギヤ２２がミッションケース壁１９に対して相対回転可能となるため、タービンシャフト１６の回転が同方向回転状態、すなわち前進状態でサンギヤ２４を介して無段変速機構３０側への出力軸２８に出力されることとなる。
【００３１】
一方、後退用ブレーキ２７を締結し、且つ前進用クラッチ２６を解放した状態では、リングギヤ２２がミッションケース壁１９に固定されるとともにリングギヤ２２に対してキャリア２１が相対回転自在となるため、タービンシャフト１６の回転が第１ピニオンギヤ２３及び第２ピニオンギヤ２５を介して反転した状態、すなわち後進状態で無段変速機構３０側への出力軸２８に出力されることとなる。
【００３２】
無段変速機構３０は、入力軸（前進後退切換機構２０の出力軸）２８上に配置されたプライマリプーリ３１と、入力軸２８に平行な出力軸３２上に配置されたセカンダリプーリ３３と、両プーリ３１、３３間に巻き掛けられたＶベルト３４とで構成されている。プライマリプーリ３１及びセカンダリプーリ３３はそれぞれ、入力軸２８、出力軸３２に固定された固定ディスク３１ａ、３３ａと、これらの軸２８、３２上にスライド可能に支持されて固定ディスク３１ａ、３３ａに対向する可動ディスク３１ｂ、３３ｂとで構成されている。
【００３３】
可動ディスク３１ｂ、３３ｂの背後にはシリンダ３１ｃ、３３ｃが設けられ、これらのシリンダ３１ｃ、３３ｃに対する作動油圧の給排制御により、両プーリ３１、３３におけるＶベルト３４の挟持位置の半径、すなわちこれらのプーリ３１、３３の有効半径が変化し、これにより自動変速機１、具体的には無段変速機構３０の変速比が制御されるようになっている。
【００３４】
そして、無段変速機構３０の出力が出力軸３２及び一対の伝動ギヤ３５、３６を介して、小径の第１ギヤ４１と大径の第２ギヤ４２とでなる終減速機４０に伝達されるとともに、さらに差動装置５０に入力され、差動装置５０によって分割されて、左右の車輪の駆動軸５１、５２に出力されるようになっている。
【００３５】
また、自動変速機１に連結されるエンジン２には、該エンジン２のクランクシャフト４にベルト５を介して連結されるオルタネータなどの発電機６が備えられ、このエンジン２により駆動される発電機６は、車両に備えられたバッテリや車両の電気負荷の状態に基づく車両からの発電要求に応じて発電した電力をバッテリや電気負荷に供給することができるようになっているとともに、車両の減速時には回生発電を行うことができるようになっている。
【００３６】
このようにして構成される自動変速機１にはまた、トルクコンバータ１０のロックアップクラッチ１５及び無段変速機構３０の作動、並びに発電機６の作動等、自動変速機１に関係する構成を総合的に制御するコントロールユニット１００が設けられている。なお、コントロールユニット１００は、マイクロコンピュータを主要部として構成されている。
【００３７】
図２は、前記自動変速機の制御システム図である。図２に示すように、コントロールユニット１００には、自動変速機１を搭載した車両の速度を検出する車速センサ１０１からの信号、アクセル操作状態を検出するアクセル操作状態検出手段としてアクセルペダルの踏み込み量を検出するアクセル開度センサ１０２からの信号、ブレーキペダルの踏み込み圧を検出するブレーキ圧センサ１０３からの信号、車両が走行する路面の勾配を検出する勾配角センサ１０４からの信号、車両に備えられたバッテリや車両の電気負荷の状態に応じて車両の発電要求を設定する充電制御装置１０５からの信号が入力されるようになっている。
【００３８】
このコントロールユニット１００は、車速とアクセル開度とに基づき、選択されているレンジに応じた自動変速機１の変速比の制御を行うと共に、アクセル操作状態からアクセル非操作状態への移行が検出されると、エンジン２を自動変速機１に従動させた状態に自動変速機１の作動を制御する。無段変速機である自動変速機１においては、エンジン２を自動変速機１に従動させた状態において、すなわちロックアップクラッチ１５を締結させた状態において自動変速機１の変速比をＬＯＷ側へ移行させるように自動変速機１の作動を制御する。
【００３９】
アクセル操作状態からアクセル非操作状態への移行が検出されたコースト走行後に停車する場合、コントロールユニット１００は、該コントロールユニット１００への入力信号に基づいて、発電機６によって回生発電を行いつつ、車両の停車時に無段変速機構３０の変速比がＬＯＷ側、具体的には最減速比状態となるように自動変速機１の制御を行う。
【００４０】
また、コントロールユニット１００は、コースト走行時に、車速に応じた目標減速度を算出することができるようになっているとともに、充電制御装置１０５から入力される車両からの発電要求に応じて発電機６の最低発電負荷を設定することができるようになっており、この最低発電負荷は、車両からの発電要求が大きいほど大きく設定される。
【００４１】
さらに、コントロールユニット１００は、発電機６の発電負荷を制御することができるようになっており、車両からの発電要求に応じて設定される発電機６の最低発電負荷は、コントロールユニット１００によって制御される発電機６の発電負荷の最低値よりも大きく設定される。
【００４２】
本実施形態ではまた、コースト走行時に、エンジン２を自動変速機１に従動させた状態に制御するときに、車速が低下するにつれて発電機６の発電負荷を低下させて目標減速度を実現するように発電機６の発電負荷を制御し、目標減速度が、車両からの発電要求に応じて設定された発電機６の最低発電負荷により実現できる減速度より小さくなる車速になるときにロックアップクラッチ１５の締結を解除するようにロックアップクラッチ１５の作動を制御する。
【００４３】
図３は、自動変速機を備えた車両のコースト走行時における自動変速機の第１の制御を説明するための説明図であり、図３では、車速と目標減速度との関係を実線で目標減速度ラインＬ１として示し、車速と車両に備えられたバッテリ及び車両の電気負荷に応じて設定される車両の発電要求を満たす発電機６の最低発電負荷との関係を破線で発電機限界値ラインＬ２として示している。なお、図３では、本実施形態に係る制御を行わない場合に、ロックアップクラッチ１５の締結を解除するとともに燃料カットを停止する車速をＶＬとして示している。
【００４４】
コントロールユニット１００では、図３に示すような、車速に応じた目標減速度が算出され、目標減速度ラインＬ１がマップとしてコントロールユニット１００に記憶されている。目標減速度ラインＬ１は、車速が低下するにつれて目標減速度が低下するように算出され、乗員に違和感を与えることを抑制しつつ発電機６によって回生発電を効率的に行うことができるように算出されている。
【００４５】
また、コントロールユニット１００では、車両からの発電要求に応じて該発電要求を満たす発電機６の最低発電負荷が設定され、図３に示すように、この発電機６の最低発電負荷により実現できる減速度が算出される。発電機限界値ラインＬ２は、車両からの発電要求を満たすことができる発電機６の最低の発電負荷であり、発電機６により制御される発電機６の発電負荷の最低値より大きく設定されている。
【００４６】
前述したように、本実施形態では、アクセル操作状態からアクセル非操作状態に移行されたコースト走行時に、目標減速度が、車両からの発電要求に応じて設定された発電機６の最低発電負荷により実現できる減速度より小さくなったと判定されたときにロックアップクラッチ１５の締結を解除するようにロックアップクラッチ１５の作動を制御する。
【００４７】
図３に示すように、アクセル操作状態からアクセル非操作状態への移行が検出されたときに、車速がＶ０である場合、目標減速度ラインＬ１は発電機限界値ラインＬ２より大きいので、目標減速度を実現するように発電機６の発電負荷が制御される。そして、車速がＶ０から低下すると、車速が低下するにつれて発電機６の発電負荷を低下させて目標減速度ラインＬ１に沿って目標減速度を実現するように発電機６の発電負荷が制御される。
【００４８】
車速が、目標減速度ラインＬ１と発電機限界値ラインＬ２とが等しくなる車速Ｖ１より低下すると、目標減速度ラインＬ１は発電機限界値ラインＬ２より小さくなるので、ロックアップクラッチ１５の締結を解除するようにロックアップクラッチ１５の作動が制御される。ロックアップクラッチ１５の締結を解除すると、図３において一点鎖線で示すように、車両の減速度が低下することとなる。なお、変速機構３０は、車速に応じて変速比が制御され、停車時に最減速比状態となるように制御される。
【００４９】
図４は、発電機への発電要求に応じて変化するロックアップクラッチの締結解除時の減速度を説明するための説明図であり、図４では、発電機６への発電要求が大きく発電機６の最低発電負荷が大きく設定された場合をＬ２ａとして示し、発電機６への発電要求が小さく発電機６の最低発電負荷が小さく設定された場合をＬ２ｂとして示している。
【００５０】
図４に示すように、発電機６の最低発電負荷が大きく設定された場合には車速Ｖ１ａにおいてロックアップクラッチ１５の締結が解除されるように制御され、発電機６の最低発電負荷が小さく設定された場合には車速Ｖ１ｂにおいてロックアップクラッチ１５の締結が解除されるように制御され、発電機６の最低発電負荷が小さく設定された場合には、発電機６の最低発電負荷が大きく設定された場合に比して低車速側までロックアップクラッチ１５を締結することができるとともにロックアップクラッチ１５の締結を解除するときの減速度を小さくすることができる。
【００５１】
図５は、本発明の実施形態に係る自動変速機の第１の制御を示すフローチャートである。この制御では、先ず、自動変速機１に関係する構成により検出される信号、すなわち、アクセル開度、車速、ブレーキ圧、勾配角、車両からの発電要求などの各種信号が読み込まれる（ステップＳ１）。
【００５２】
次に、ステップＳ２において、車両からの発電要求である発電機６への発電要求が所定値以上であるか否かが判定される。ステップＳ２での判定結果がノー（ＮＯ）の場合、すなわち発電機６への発電要求が所定値未満である場合、ステップＳ１及びＳ２が繰り返されるが、ステップＳ２での判定結果がイエス（ＹＥＳ）の場合、すなわち発電機６への発電要求が所定値以上である場合、アクセル操作状態からアクセル非操作状態へ移行されたアクセル全閉状態であるか否かが判定される（ステップＳ３）。
【００５３】
ステップＳ３での判定結果がノーの場合、すなわちアクセル全閉状態でない場合、ステップＳ１〜Ｓ３が繰り返されるが、ステップＳ３での判定結果がイエスの場合、すなわちアクセル全閉状態であるコースト走行時の場合、車速が所定車速以上などの燃料カット条件が成立しているか否かが判定される（ステップＳ４）。
【００５４】
ステップＳ４での判定結果がノーの場合、すなわち燃料カット条件が成立していない場合、ステップＳ１〜Ｓ４が繰り返されるが、ステップＳ４での判定結果がイエスの場合、すなわち燃料カット条件が成立している場合、次に、トルクコンバータ１０のロックアップクラッチ１５が締結状態にあるか否かが判定される（ステップＳ５）。
【００５５】
ステップＳ５での判定結果がノーの場合、すなわちロックアップクラッチ１５が締結状態にない場合、ステップＳ１〜Ｓ５が繰り返されるが、ステップＳ５での判定結果がイエスの場合には、すなわちロックアップクラッチ１５が締結状態にある場合には、車速に応じた目標減速度（Ｄ１）が算出され（ステップＳ６）、発電機６への発電要求に応じて発電機６の最低発電負荷が設定され（ステップＳ７）、ステップＳ７において設定された発電機６の最低発電負荷により実現できる減速度（Ｄ２）が算出される（ステップＳ８）。
【００５６】
そして、ステップ６において算出された車速に応じた目標減速度（Ｄ１）がステップＳ８において算出された発電機６の最低発電負荷により実現できる減速度（Ｄ２）より小さくなったか否かが判定され（ステップＳ９）、ステップＳ９での判定結果がイエスになると、すなわち目標減速度（Ｄ１）が発電機６の最低発電負荷により実現できる減速度（Ｄ２）より小さくなったと判定されると、ロックアップクラッチ１５の締結を解放してロックアップクラッチ１５の締結が解除され（ステップＳ１０）、燃料カットが停止される。
【００５７】
ステップＳ６〜Ｓ１０に示されるように、本実施形態では、車速に応じて目標減速度が算出され、発電機６への発電要求に応じて設定された発電機６の最低発電負荷により実現できる減速度が算出され、目標減速度が発電機６の最低発電負荷により実現できる減速度より小さくなったと判定された車速において、ロックアップクラッチ１５の締結が解除される。
【００５８】
以上のように、本実施形態では、コースト走行時に、エンジン２を自動変速機１に従動させた状態に制御し、車速に応じて算出された目標減速度が、車両からの発電要求に応じて設定された発電機６の最低発電負荷により実現できる減速度より小さくなったと判定されたときに、ロックアップクラッチ１５の締結を解除するようにロックアップクラッチ１５の作動を制御する。
【００５９】
これにより、コースト走行時に、ロックアップクラッチ１５を締結させるとともに燃料カットを行う場合に、ロックアップクラッチ１５の締結を解除するタイミングを車両からの発電要求に応じて設定された発電機６の最低発電負荷に基づいて制御することができるので、車両からの発電要求を満たしながら、可能な限り低車速側までロックアップクラッチ１５の締結を維持することができ、燃費を向上させつつロックアップクラッチ１５の締結を解除するときの減速度によって生じる乗員への違和感を抑制することができる。車両の発電要求に応じて設定された発電機６の最低発電負荷が低い場合には、該発電機６の最低発電負荷が高い場合に比して低車速までロックアップクラッチ１５を締結させることができ、燃費を向上させることができるとともにロックアップクラッチ１５の締結を解除するときの減速度によって生じる乗員への違和感を抑制することができる。
【００６０】
また、車両からの発電要求が大きいほど発電機６の最低発電負荷を大きく設定することにより、車両からの発電要求が変化する場合に、車両からの発電要求の変化に応じてロックアップクラッチ１５の締結解除を制御することができる。
【００６１】
更に、バッテリ及び電気負荷の状態に応じて設定される車両からの発電要求が所定値以上である場合に、目標減速度が発電機６の最低発電負荷により実現できる減速度より小さくなったと判定されたときにロックアップクラッチ１５の締結を解除するようにロックアップクラッチ１５の作動を制御することにより、バッテリの過充電を防止することができる。
【００６２】
また更に、目標減速度が発電機６の最低発電負荷により実現できる減速度より小さくなったと判定されるまでは、車速が低下するにつれて発電機６の発電負荷を低下させて目標減速度を実現するように発電機６の発電負荷を制御することにより、目標減速度を発電機６の発電負荷により実現することができ、コースト走行時に乗員に違和感を与えることを抑制することができる。
【００６３】
また更に、自動変速機１は無段変速機であって、コースト走行時に、エンジンを無段変速機に従動させた状態において無段変速機の変速比をＬＯＷ側へ移行させるように無段変速機の作動を制御することにより、ロックアップクラッチ１５を締結した状態においてＬＯＷ側への移行が可能である無段変速機である場合に、より低車速までロックアップクラッチ１５を締結することができ、前記効果をより有効に奏することができる。
【００６４】
前述した実施形態では、車両が走行する路面の勾配角やブレーキ圧を考慮することなく車速に応じた目標減速度が算出されているが、勾配角及びブレーキ圧に応じて目標減速度を補正するようにしてもよく、かかる場合には、目標減速度をより好適に算出することができる。
【００６５】
図６は、勾配角と目標減速度との関係を示す図であり、図６では、目標減速度を破線で示し、勾配角によって補正した目標減速度を実線で示している。図６に示すように、勾配角センサ１０４によって検出された勾配角に応じて、下り勾配角が大きくなるにつれて目標減速度が高くなるように、また上り勾配角が大きくなるにつれて目標減速度が低くなるように目標減速度を補正するようにしてもよい。
【００６６】
また、図７は、ブレーキ圧と目標減速度との関係を示す図であり、図７では、目標減速度を破線で示し、ブレーキ圧によって補正した目標減速度を実線で示している。図７に示すように、ブレーキ圧センサ１０３によって検出されたブレーキ圧に応じて、ブレーキ圧が高くなるにつれて目標減速度が高くなるように目標減速度を補正するようにしてもよい。
【００６７】
前述した実施形態ではまた、目標減速度が発電機６の最低発電負荷により実現できる減速度より小さくなったと判定されたときに、ロックアップクラッチ１５の締結を解放することによりロックアップクラッチ１５の締結を解除しているが、ロックアップクラッチ１５をスリップ状態にすることによりロックアップクラッチ１５の締結を解除するように制御することも可能である。
【００６８】
図８は、前記自動変速機を備えた車両のコースト走行時における自動変速機の第２の制御を説明するための説明図である。コースト走行時における自動変速機１の第２の制御は、コースト走行時における自動変速機１の第１の制御と、ロックアップクラッチ１５の締結解除をスリップ状態にした後に解放するようにしたこと以外は同様であるので、それ以外については説明を省略する。
【００６９】
図８に示すように、コースト走行時における自動変速機１の第２の制御では、車速が、目標減速度ラインＬ１と発電機限界値ラインＬ２とが等しくなる車速Ｖ１より低下すると、ロックアップクラッチ１５の締結を解除するようにロックアップクラッチ１５がスリップ制御される。
【００７０】
ロックアップクラッチ１５をスリップ制御してロックアップクラッチ１５の締結を解除すると、図８において二点鎖線で示すように、車速が低下するにつれて車両の減速度が低下し、ロックアップクラッチ１５を解放する第１の制御の場合に比べて減速度が緩やかに低下することとなる。そして、ロックアップクラッチ１５のスリップ制御を開始してから所定時間経過したときに車速Ｖ２においてロックアップクラッチ１５を解放するようにロックアップクラッチ１５の作動が制御される。
【００７１】
図９は、本発明の実施形態に係る自動変速機の第２の制御を示すフローチャートである。図９に示すように、自動変速機１の第２の制御におけるステップＳ１１〜Ｓ１９はそれぞれ、図５に示す自動変速機１の第１の制御におけるステップＳ１〜Ｓ９と同様であるので、説明を省略する。
【００７２】
自動変速機１の第２の制御では、ステップＳ１９において、ステップＳ１６において算出された車速に応じた目標減速度（Ｄ１）がステップＳ１８において算出された発電機６の最低発電負荷により実現できる減速度（Ｄ２）より小さくなったか否かが判定され、ステップＳ１９での判定結果がイエスになると、すなわち目標減速度（Ｄ１）が発電機６の最低発電負荷により実現できる減速度（Ｄ２）より小さくなったと判定されると、ロックアップクラッチ１５をスリップ制御することによりロックアップクラッチ１５の締結が解除される（ステップＳ２０）。
【００７３】
そして、ステップＳ２１において、ロックアップクラッチ１５のスリップ制御を開始してから所定時間経過したか否かが判定され、ステップＳ２１での判定結果がイエスになると、すなわちロックアップクラッチ１５のスリップ制御を開始してから所定時間経過すると、ロックアップクラッチ１５が解放され（ステップＳ２２）、燃料カットが停止される。
【００７４】
本実施形態においても、ステップＳ１６〜Ｓ２２に示されるように、車速に応じて目標減速度が算出され、発電機６への発電要求に応じて設定された発電機６の最低発電負荷により実現できる減速度が算出され、目標減速度が発電機６の最低発電負荷により実現できる減速度より小さくなったと判定された車速において、ロックアップクラッチ１５の締結が解除されるが、本実施形態では、ロックアップクラッチ１５をスリップ制御することによりロックアップクラッチ１５の締結が解除され、所定時間経過後にロックアップクラッチ１５が解放される。
【００７５】
以上のように、本実施形態においても、コースト走行時に、エンジン２を自動変速機１に従動させた状態に制御し、車速に応じて算出された目標減速度が、車両からの発電要求に応じて設定された発電機６の最低発電負荷により実現できる減速度より小さくなったと判定されたときに、ロックアップクラッチ１５の締結を解除するようにロックアップクラッチ１５の作動を制御する。
【００７６】
これにより、コースト走行時に、ロックアップクラッチ１５を締結させるとともに燃料カットを行う場合に、ロックアップクラッチ１５の締結を解除するタイミングを車両からの発電要求に応じて設定された発電機６の最低発電負荷に基づいて制御することができるので、車両からの発電要求を満たしながら、可能な限り低車速側までロックアップクラッチ１５の締結を維持することができ、燃費を向上させつつロックアップクラッチ１５の締結を解除するときの減速度によって生じる乗員への違和感を抑制することができる。
【００７７】
また、ロックアップクラッチ１５は、スリップ制御可能に構成され、ロックアップクラッチ１５をスリップ制御することによりロックアップクラッチ１５の締結を解除するようにロックアップクラッチ１５の作動を制御する。これにより、ロックアップクラッチ１５の締結を解除する際に生じるショックを低減することができる。
【００７８】
本実施形態では、自動変速機として、エンジン２との間の動力伝達を接断するロックアップクラッチ１５を備えた無段変速機について記載しているが、エンジン２との間で動力伝達を接断するクラッチ手段を備えた多段変速機などのその他の自動変速機を用い、コースト走行時にエンジンを自動変速機に従動させた状態に制御する場合にも、本実施形態に係る自動変速機の制御を適用することができる。また、本実施形態では、アクセル操作状態からアクセル非操作状態へ移行されたコースト走行時に、燃料カット条件が成立した場合に自動変速機１の作動を制御しているが、燃料カット条件に関わらず自動変速機１の作動を制御するようにしてもよい。
【００７９】
本発明は、例示された実施の形態に限定されるものではなく、本発明の要旨を逸脱しない範囲において、種々の改良及び設計上の変更が可能であることは言うまでもない。
【産業上の利用可能性】
【００８０】
以上のように、本発明によれば、コースト走行時に、車両の発電要求を満たしながら、燃費を向上させることができるとともに乗員への違和感を抑制することが可能となるから、この種の車両の製造産業分野において好適に利用される可能性がある。
【符号の説明】
【００８１】
１  自動変速機
２  エンジン
６  発電機
１５  ロックアップクラッチ
３０  無段変速機構
１００  コントロールユニット
１０１  車速センサ
１０２  アクセル開度センサ
１０５  充電制御装置
【図１】
0005760580.tif 000002
【図２】
0005760580.tif 000003
【図３】
0005760580.tif 000004
【図４】
0005760580.tif 000005
【図５】
0005760580.tif 000006
【図６】
0005760580.tif 000007
【図７】
0005760580.tif 000008
【図８】
0005760580.tif 000009
【図９】
0005760580.tif 000010